(57)【特許請求の範囲】
【請求項１】
左右の扉を左右に引いて閉めたときに左右の扉の表面がフラットになるフラット引戸において、前記フラットになるように扉をガイドする上レールおよび下レールと、前記扉の上端に設けられ、前記上レールに形成される断面が下向きのコの字状の上溝に入って移動するガイドランナーと、前記扉の下端に設けられ、前記下レールに形成される断面が上向きのコの字状の下溝に入って転動しつつ移動するボールキャスターと、このボールキャスターを構成しボールを支持しつつ前記下溝内に下縁が位置する円筒部分と、を有し、
前記左右の扉のうち左の扉であって、扉を開けたときに、奥側に位置する奥側扉がガイドされる前記上レールおよび下レールは、各々、長手方向に直列に配置される２本の直線的なレールからなり、前記奥側扉が閉じたときに、前記奥側扉が手前に移動するように、前記２本のレールはそれぞれ左端のみが手前側へ屈曲し、
前記左右の扉のうち右の扉であって、扉を開けたときに、手前側に位置する手前側扉がガイドされる前記上レールおよび下レールは、各々、長手方向に直列に配置される２本の直線的なレールからなり、前記手前側扉が閉じたときに、前記手前側扉が奥に移動するように、前記２本のレールはそれぞれ右端のみが奥側へ屈曲し、
前記合計4本のレールの屈曲した4つの先端は、同一直線状にあることで、左右の扉を左右に引いて閉めたときに左右の扉の表面がフラットになり、左右の扉が互いに接触して起きる扉の脱線が生じにくいことを特徴とする脱線防止構造のフラット引き違い戸。  
【請求項２】
前記左右の扉は、左右方向内側の縦辺部が、開き始めに互いに接触しにくいように、対向する厚み角部が斜めにカットされた形状を有することを特徴とする請求項１に記載の脱線防止構造のフラット引き違い戸。
【発明の詳細な説明】
【技術分野】
【０００１】
この発明は、左右の扉を左右に引いて閉めたときに、両扉の表面がフラットになるフラット引戸に関する。
【背景技術】
【０００２】
図６（Ａ）に示すように、古いタイプの引戸１０１は、左右の扉１０３を左右に引いて閉めたときに、両扉の境目１０５が重なって段になり、見栄えが悪い。このため図６（Ｂ）に示すように、閉めたときに、両扉の境目１０５が重ならず、フラットにならび、よって、両扉の表面がフラットになるフラット引戸が提案されている。
【０００３】
図６（Ｃ）に示すように、このフラット引戸の大部分は、左右の扉１０３をガイドする上レール１０７および下レール１０９の中にしっかり保持されて走行するランナー１１１から、上方または下方へ迂回して湾曲した形状を有する金具１１３が設けられ、この金具１１３によって扉１０３が固定される。上レール１０７および下レール１０９は、閉じた扉１０３がフラットになるように、屈曲してランナー１１１の動きをガイドする。
この場合、湾曲した金具１１３のために、扉１０３の上方と下方に、余分なスペース１１５が必要となり、やはり、見栄えが悪い。また、このスペースを確保できない引戸１０１には、採用できない。
【０００４】
これに対して、下記特許文献１、２では、湾曲した金具を用いずに、扉の上端および下端に設けられるランナーが直接に、レールの中へ入れられ移動する。このため、湾曲した金具を用いないことから、余分なスペースがいらない。
しかし、これら特許文献１、２では、ランナーは単にレールに入れられているのみで、しっかり保持されておらず、このためレールの屈曲した部分で、滑らかには移動せず、脱線しやすい。よって、扉の重さをボール（特許文献１の符号４３、特許文献２の符号２２ｂ）で受け、ランナーが脱線しにくいようにしている。
【先行技術文献】
【特許文献】
【０００５】
【特許文献１】特開２００３−２１４０１７
【特許文献２】特開２０００−０９６９０６
【発明の概要】
【発明が解決しようとする課題】
【０００６】
しかしながら、上記特許文献１では、ランナーがレールの中へ入れられ移動する構造と、扉の重さを受けるボール（特許文献１の符号４３）が走行する構造と、２つの構造が併用され、全体の構造が複雑になり、製造コストが高くなる。
また、上記特許文献２では、扉の重さを受けるボール（特許文献２の符号２２ｂ）はレール（特許文献２の符号３２、３３）によりガイドされているものの、ボールは、その丸みにより、このレールの縁を乗り越えることもあり得る。
また、扉の脱線は、開き始めに左右の扉が互いに接触して起きることもあり得る。
この発明は、以上の問題点を解決するために、構造がシンプルで製造コストが押さえられ、扉が脱線しにくいフラット引戸を提供することを目的とする。
【課題を解決するための手段】
【０００７】
以上の課題を解決するために、第一発明は、左右の扉を左右に引いて閉めたときに左右の扉の表面がフラットになるフラット引戸において、前記フラットになるように扉をガイドする上レールおよび下レールと、前記扉の上端に設けられ、前記上レールに形成される断面が下向きのコの字状の上溝に入って移動するガイドランナーと、前記扉の下端に設けられ、前記下レールに形成される断面が上向きのコの字状の下溝に入って転動しつつ移動するボールキャスターと、このボールキャスターを構成しボールを支持しつつ前記下溝内に下縁が位置する円筒部分と、を有することを特徴とする脱線防止構造のフラット引き違い戸である。  第二発明は、前記左右の扉は、左右方向内側の縦辺部が、開き始めに互いに接触しにくいように、対向する厚み角部が斜めにカットされた形状を有することを特徴とする脱線防止構造のフラット引き違い戸である。
【発明の効果】
【０００８】
第一、又は第二発明によれば、扉の下端に設けられたボールキャスターが、下レールに形成される断面が上向きのコの字状の下溝に、入って転動しつつ移動する。これにより、レールに沿って移動する構造と、扉の重さを受けるボールが走行する構造とが、同じ構造で達成され、全体の構造がシンプルになり、製造コストが押さえられる。
また、このボールキャスターを構成しボールを支持する円筒部分の下縁が、下溝内に位置することで、ボールは、その丸みが、レールの側壁や縁に触れることが無く、よってボールがレールの縁を乗り越えることを防止でき、脱線しにくい。
【０００９】
第二発明によれば、さらに、左右の扉は、閉じた状態から開き始めにおいて、互いに対向する左右方向内側の縦辺部の厚み角部が、斜めにカットされた形状を有することにより、開き始めに互いに接触しにくい。よって、接触に伴う万一の脱線を防止できる。
【図面の簡単な説明】
【００１０】
【図１】（Ａ）は、この発明の一実施形態を示す引戸を示す斜視図、（Ｂ）は（Ａ）の扉部分の水平断面図、（Ｃ）（Ｄ）は（Ｂ）の動作を示す図である。
【図２】（Ａ）は図１（Ａ）の扉部分の縦断面図、（Ｂ）は（Ａ）の動作を示す図である。
【図３】（Ａ）は図１（Ａ）の扉部分を内部から見た斜視図、（Ｂ）は（Ａ）のＢ部拡大図、（Ｃ）は（Ａ）のＣ部拡大図、（Ｄ）は（Ａ）のＤ部拡大図、（Ｅ）は（Ｂ）のＥ方向から見た図、（Ｆ）は（Ｃ）のＦ方向から見た図である。
【図４】図３のＩＶ方向から見た下レールの平面図である。なお、上レールも、この下レールを反転投影した同じ形態を有する。
【図５】扉の動きを示す図であり、（Ａ）（Ｂ）（Ｃ）（Ｄ）（Ｅ）は左の扉が閉じた状態から開いた状態となり再び閉じた状態になる動きを示す図、（Ａ）（Ｆ）（Ｇ）（Ｈ）（Ｅ）は右の扉が閉じた状態から開いた状態となり再び閉じた状態になる動きを示す図である。
【図６】従来の引戸を示すもので（Ａ）は左右の扉がフラットにならない古いタイプの引戸を示す斜視図、（Ｂ）は左右の扉がフラットになるタイプの引戸を示す斜視図、（Ｃ）は（Ｂ）に使用される湾曲した金具を示す縦断面図である。
【発明を実施するための形態】
【００１１】
この発明の実施形態を、図１から図５に示す。
（全体形状）
図１（Ａ）に示すように、このフラット引戸１は、例えばキッチンの天袋などとして適する収納戸棚に、用いられる。図のように、左右の扉３を左右に引いて閉めたときに、両扉の境目５が重ならない。よって、両扉３の表面がフラットになる。
【００１２】
（レールの形状）
このフラットになるように扉３をガイドするため、上のレール６および下のレール７は、図２、図１（Ｂ）〜（Ｄ）および図４に示すように、左端または右端が屈曲（１０）する。なお、図１（Ｂ）〜（Ｄ）および図４は、この実施形態の下レール７を表すが、上レール６も、この下レール７を反転投影した同じ形態を有する。すなわち、上レール６と下レール７の中間に想像される水平面を基準にして、上レール６と下レール７は、上下対象な形態となる。
【００１３】
扉３を開けたときに、奥側に位置する奥側扉９（３）、すなわち図１中左側の扉３は、奥側のレール７によりガイドされる。この奥側のレール７は、２本のレール７Ａ，７Ｂからなり、長手方向に直列に配置される。各レール７Ａ，７Ｂにガイドされた奥側扉９（３）は、図中、左側へ移動して閉じ、右側へ移動して開く。各レール７Ａ，７Ｂは、奥側扉９（３）が閉じたときに、奥側扉９（３）が手前に移動するように、左端が手前側へ屈曲（１０）する。この屈曲角度は、３５度である（図４）。
【００１４】
同様に、手前側に位置する手前側扉１１（３）、すなわち図１中右側の扉３は、手前側のレール７によりガイドされる。この手前側のレール７も、２本のレール７Ｃ，７Ｄからなり、長手方向に直列に配置される。各レール７Ｃ，７Ｄにガイドされた手前側扉１１（３）は、図中、右側へ移動して閉じ、左側へ移動して開く。各レール７Ｃ，７Ｄは、手前側扉１１（３）が閉じたときに、手前側扉１１（３）が奥に移動するように、右端が奥側へ屈曲（１０）する。この屈曲角度も、３５度である（図４）。
【００１５】
このようにして、扉３が閉じたときに、奥側扉９（３）が手前に移動し、手前側扉１１（３）が奥に移動することで、奥側扉９（３）と手前側扉１１（３）、すなわち左右扉は、両扉３の境目５が重って段になることが無く、フラットに並ぶ。
【００１６】
（ガイドランナーとボールキャスター）
図２および図３（Ｂ）（Ｃ）に示すように、左右の各扉３の上端には、左右２箇所に、回動金具１３が設けられ、回動金具１３の先端にガイドランナー１５が設けられる。このガイドランナー１５は、上のレール６に形成される断面が下向きのコの字状の上溝１７に、入って、その中で移動する。回動金具１３は、上端にガイドランナー１５が設けられ、回動ピン１９回りに回動し、ガイドランナー１５をレール６から後退できる（図３（Ｃ））。扉３を戸棚から外すときなどに便利である。  
また、回動金具１３を逆方向へ回動し、ガイドランナー１５をレール６へ入れた状態で、回動金具１３は、その切り込み部２１が、ビス２３と嵌合し、このビス２３を用いて、回動金具１３を固定できる。
【００１７】
図２および図３（Ｅ）（Ｆ）に示すように、各扉３の下端には、左右２箇所に、Ｌ字状の固定金具２５が設けられ、このＬ字状の固定金具２５の上辺部２７にはビス２３が設けられ扉３の内側に固定がなされ、下辺部２９にボールキャスター３１が設けられる。このボールキャスター３１は、下のレール７に形成される断面が上向きのコの字状の下溝３３に、入って、転動しつつ下溝３３内を移動する。図３（Ｆ）に示すように、このボールキャスター３１は、短い円筒部分３５の下端内部にボール３７を支持し、このボール３７は下部の丸み３９が、円筒部分３５の下縁から露出する。
【００１８】
（扉３の厚み角部のカット）
図１（Ａ）および図３（Ａ）（Ｄ）などに示すように、左右の各扉３は、正面から見た形状が四角形であり、この四角形を構成する縦辺部のうち、左右方向内側の縦辺部４１が、接触防止の形状（４３）を有する。
すなわち、図１（Ｂ）〜（Ｄ）に示すように、左右の各扉３が開き始めに、奥側扉９（図１中左の扉３）が奥へ移動し、あるいは、手前側扉１１（図中右の扉３）が手前へ移動するが、その際に、各扉３の左右方向内側の縦辺部４１は、厚み部分で、互いに対向する角部を有する。つまり、図においては、奥側扉９（３）は、左右方向内側の縦辺部４１で、厚み部分の手前側角部である。手前側扉１１（３）は、左右方向内側の縦辺部４１で、厚み部分の奥側角部である。
【００１９】
これらの対向する厚み角部が斜めにカット４３された形状を有する。カット４３された角度は、図３（Ｄ）に示すように３５度である。この角度は、各レール７の屈曲角度３５度（図４）と同じであり、よって、各扉３が開き始めに、動く、動きの角度と同じである。図３（Ｄ）内で、各扉３の動きの軌跡を矢印Ｔで示す。このようにして、左右の各扉３は、開き始めに互いに接触しにくい。
【００２０】
「実施形態の効果」
（１）以上の実施形態における各扉３の開閉の動きを図５に示す。図５（Ａ）（Ｂ）（Ｃ）（Ｄ）（Ｅ）は、左の扉３（９）が閉じた状態から開いた状態となり、再び閉じた状態になる動きを示す。図５（Ａ）（Ｆ）（Ｇ）（Ｈ）（Ｅ）は右の扉３（１１）が閉じた状態から開いた状態となり、再び閉じた状態になる動きを示す図である。
【００２１】
すなわち、各扉３が閉じてフラットな状態（図５（Ａ）、図２（Ａ））から、左の扉３（奥側扉９）が、レール７Ａ，７Ｂの屈曲（１０）に沿って、右の奥へ移動し、開き始める（図５（Ｂ））。続いて、レール７Ａ，７Ｂの直線部に沿って、右へ移動し、開き続ける（図５（Ｃ））。完全に開くと、左の扉３（奥側扉９）は右の扉３（手前側の扉３）の背後に位置する（図５（Ｄ））。さらに、動きを逆に（図５（Ｄ）（Ｃ）（Ｂ））すると、再び、各扉３が閉じてフラットな状態（同図（Ｅ））となる。
【００２２】
次に、各扉３が閉じてフラットな状態（図５（Ａ）、図２（Ａ））から、右の扉３（手前側扉１１）が、レール７Ｃ，７Ｄの屈曲（１０）に沿って、左手前へ移動し、開き始める（図５（Ｆ））。続いて、レール７Ｃ，７Ｄの直線部に沿って、左へ移動し、開き続ける（図５（Ｇ））。完全に開くと、右の扉３（手前側扉１１）は左の扉３（奥側の扉９）の前に位置する（図５（Ｈ））。さらに、動きを逆に（図５（Ｈ）（Ｇ）（Ｆ））すると、再び、各扉３が閉じてフラットな状態（図５（Ｅ））となる。
【００２３】
以上は各扉３が別個に開閉する場合を説明したが、図１（Ｂ）（Ｃ）（Ｄ）に示すように、各扉３が、各々開くことも、もちろん可能である。各々開いた状態で、右の扉３（手前側扉１１）が手前へ移動し、左の扉３（奥側扉９）が奥へ移動した状態（図２（Ｂ））となる。
【００２４】
（２）以上の実施形態において、全体の構造がシンプル化、および扉３がレール７から脱線することが以下のように防止される。
すなわち、扉３が開閉される際に、図３（Ｆ）に示されるように、扉３の下端に設けられたボールキャスター３１は、下レール７に形成される断面が上向きのコの字状の下溝３３に、入って転動しつつ移動する。これにより、扉３の重量は十分に支えられつつ、扉３は滑らかに動くことができる。これにより、下レールに沿って移動する構造と、扉の重さを受けるボールキャスター３１が走行する構造とが、同じ構造で達成され、全体の構造がシンプルになる。
【００２５】
また、その際に、ボールキャスター３１を構成しボール３７を支持する円筒部分３５の下縁は、下溝３３内に位置する。このため、ボール３７は、円筒部分３５の下縁から露出したその下部の丸み３９が、レール７に形成される下溝３３の底部にのみ触れ、下溝３３の側壁に触れることが無い。もちろん、下溝３３の縁に触れることもない。よって、ボール３７が転動する際に、レール７の下溝３３の縁を乗り越えることを防止でき、レール７から脱線しにくい。
【００２６】
（３）さらに、左右の扉３は、閉じた状態から開き始めにおいて、互いに対向する左右方向内側の縦辺部４１の厚み角部が、斜めにカット４３された形状を有するので、そのカット４３された分、開き始めに互いに接触しにくい。よって、接触に伴い、接触の力で扉３が、万一、レール７の外へ押し出されてしまう脱線を、防止できる。
【符号の説明】
【００２７】
１…フラット引戸、３…扉、５…境目、７…レール、９…奥側扉、１１…手前側扉、１３…回動金具、１５…ガイドランナー、１７…上溝、１９…回動ピン、２１…切り込み部、２３…ビス、２５…固定金具、２７…上辺部、２９…下辺部、３１…ボールキャスター、３３…下溝、３５…円筒部分、３７…ボール、３９…丸み、４１…縦辺部、４３…カット、１０１…引戸、１０３…扉、１０５…境目、１０７…上レール、１０９…下レール、１１１…ランナー、１１３…金具。
【図１】
0005805011.tif 000002
【図２】
0005805011.tif 000003
【図３】
0005805011.tif 000004
【図４】
0005805011.tif 000005
【図５】
0005805011.tif 000006
【図６】
0005805011.tif 000007